(57)【特許請求の範囲】
【請求項１】
情報を処理する情報処理部を有する本体部及び該本体部の奥方の軸支部によって前記本体部に対して開閉可能である表示部と、前記本体部の手前側の電池パック装着部に装着された電池パックとの組み合わせをもつ携帯型情報処理装置において、
前記本体部の前記電池パック装着部は、前記本体部の手前側の面に凹状とされた形状であり、
前記電池パックは、上面に凹み部を有する形状であり、該上面の全体が露出した状態で前記電池パック装着部に装着され、
前記電池パックが前記電池パック装着部に装着されている状態で、前記凹み部は、閉じられた前記表示部の先端部に対向する位置に存在することを特徴とする携帯型情報処理装置。
【請求項２】
請求項１記載の携帯型情報処理装置において、
前記電池パックは、複数の電池がハウジング内に収容してある構成であることを特徴とする携帯型情報処理装置。
【請求項３】
請求項１記載の携帯型情報処理装置において、
前記電池パックの上面の凹み部は、該電池パックの全長に亘って形成してあることを特徴とする携帯型情報処理装置。
【請求項４】
請求項１記載の携帯型情報処理装置において、
前記電池パックは、円柱形状の電池が２列に並んでハウジング内に内蔵してあり、
該ハウジングは、円柱形状の電池の外形に沿う形状を有し、一の電池列を収容する部分と別の電池列とを収容する部分との間の位置に、上記凹み部が形成してある構成としたことを特徴とする携帯型情報処理装置。
【発明の詳細な説明】
【０００１】
【発明の属する技術分野】
本発明は携帯型情報処理装置に関する。
【０００２】
携帯型のパソコンは、手前側に装着してある電池パックを電源として動作する。パソコンの本体部の手前側には凹状の電池パック装着部が形成してあり、電池パックは電池パック装着部に装着され、本体部の外形内に収まっている。
【０００３】
なお、電池パックとしては、オプションとして、通常より大きい容量の電池パックが用意されている。この大容量電池パックは、通常の電池パックよりサイズが大きく、本体部の電池パック装着部に装着された状態では、本体部より手手前側に張り出す部分が形成される。
【０００４】
【従来の技術】
図１は従来の大容量電池パック１０を示す。大容量電池パック１０は、携帯型のパソコン２０の本体部２１の手前側の凹状部２２に嵌合して、図２に示すように、装着される。大容量電池パック１０の上面１１は平面である。大容量電池パック１０のうち、符号１２で示す部分が、装着された状態で、本体部２１の前側壁２３から手前側に張り出す。２５は本体部２１に対して開閉可能である液晶表示部である。パソコン２０を使用する場合には、操作者は、指先部３０で液晶表示部２５の先端部２６を引っ掛けて引き上げて、液晶表示部２５を開く操作を行う。
【０００５】
【発明が解決しようとする課題】
大容量電池パック１０のうち本体部２１の前側壁２３から手前側に張り出した張り出し部分１２が、指先部３０を液晶表示部２５の先端部２６に引っ掛かり難くしていた。
【０００６】
このため、液晶表示部２５を開く操作がし難く、場合によっては、爪を傷めたりする虞れもあった。
【０００７】
そこで、本発明は、上記課題を解決した携帯型情報処理装置を提供することを目的とする。
【０００８】
【課題を解決するための手段】
請求項１の発明は、情報を処理する情報処理部を有する本体部及び該本体部の奥方の軸支部によって前記本体部に対して開閉可能である表示部と、前記本体部の手前側の電池パック装着部に装着された電池パックとの組み合わせをもつ携帯型情報処理装置において、
前記本体部の前記電池パック装着部は、前記本体部の手前側の面に凹状とされた形状であり、
前記電池パックは、上面に凹み部を有する形状であり、該上面の全体が露出した状態で前記電池パック装着部に装着され、
前記電池パックが前記電池パック装着部に装着されている状態で、前記凹み部は、閉じられた前記表示部の先端部に対向する位置に存在する構成としたものである。
【０００９】
操作者が手の指先で表示部の端を引っ掛けて引き上げて表示部を開こうとする場合に、凹み部が指先の一部を受け入れ、指先が閉じている表示部の端に引っ掛かり易くなる。
【００１０】
請求項２の発明は、請求項１記載の携帯型情報処理装置において、
前記電池パックは、複数の電池がハウジング内に収容してある構成であるようにしたものである。
【００１１】
請求項３の発明は、請求項１記載の携帯型情報処理装置において、
前記電池パックの上面の凹み部は、該電池パックの全長に亘って形成してあるようにしたものである。
【００１２】
凹み部が電池パックの全長に亘って形成してあることによって、表示部を開こうとする場合に、操作者が指先を閉じている表示部の端の長手方向上どの位置にあてがっても指先は凹み部内に入り、指先が表示部の端に引っ掛かり易くなる。
【００１３】
請求項４の発明は、請求項１記載の携帯型情報処理装置において、
前記電池パックは、円柱形状の電池が２列に並んでハウジング内に内蔵してあり、
該ハウジングは、円柱形状の電池の外形に沿う形状を有し、一の電池列を収容する部分と別の電池列とを収容する部分との間の位置に、上記凹み部が形成してある構成としたものである。
【００１４】
凹み部は、電池の円柱形状を利用して形成されており、電池の収容部を無理やりに狭く設計することなく、合理的に形成される。
【００１７】
【発明の実施の形態】
図３（Ａ）、（Ｂ）は本発明の一実施例になる大容量電池パック４０を示す。この大容量電池パック４０は、図２乃至図６に示すように携帯型のパソコン６０に装着されて使用される。Ｙ１が奥方、Ｙ２が手前側、Ｘ１−Ｘ２が幅方向、Ｚ１が上向、Ｚ２が下方である。
【００１８】
携帯型のパソコン６０は、図４及び図５に示すように、本体部６１と、本体部６１の奥方の軸支部６３によって本体部６１に対して開閉可能に支持されている液晶表示部６４とを有する。液晶表示部６４は、本体部６１上に倒されて閉じた状態と起こされて開いた状態とをとり、その液晶表示面６５は、閉じた状態では隠され、開いた状態では露出する。本体部６１は、内部に情報処理部としてのＣＰＵ等を有し、上面にキーボード部６６を有する。本体部６１の手前側には、標準の電池パック８０又は大容量電池パック４０を装着するための電池パック装着部６７が形成してある。電池パック装着部６７は、本体部６１の手前側の面６８に対して凹状に形成してあり、この凹状部のサイズは標準電池パック８０のサイズと同じである。標準電池パック８０は電池パック装着部６７の凹部６９に丁度収まって装着される。
【００１９】
また、液晶表示部６４が閉じた状態で、Ｚ１側から見て、液晶表示部６４の先端部６９が、本体部６１の手前側の面６８と一致している。
【００２０】
次に、大容量電池パック４０について説明する。
【００２１】
大容量電池パック４０は、図３（Ａ）、（Ｂ）に示すように、ハウジング４１内に円柱形状の電池４２、４３が３個づつ２列に並んで内蔵してあり、Ｙ１側の面の中央にコネクタ４４を有する構成である。４５は上面、４６は下面である。
【００２２】
なお、本実施例では、円柱形状の複数の電池からなる電池パックを例示しているが、請求項１及び請求項３に記載の発明にあっては、電池パックの外観が重要であり、その内部の具体的な構成は本実施例のものに限られない。
【００２３】
４７は第１の電池列であり、Ｘ１−Ｘ２に整列している複数電池４２よりなる。４８は第２の電池列であり、第１の電池列４７のＹ２側に隣接した位置にあり、Ｘ１−Ｘ２に整列している複数電池４３よりなる。ハウジング４１は、第１の電池列４７を収容する第１の電池列収容部４９と第２の電池列収容部４８を収容する第２の電池列収容部５０がＹ１−Ｙ２方向上隣接して配置してある構成である。大容量電池パック４０は、標準電池パック６０に比べて、第２の電池列収容部５０の分、サイズが大きい。第２の電池列収容部５０は、第１の電池列収容部４９よりＸ１−Ｘ２方向の長さが長く、第２の電池列収容部５０の両端は、第１の電池列収容部４９の両側から突き出している。
【００２４】
ハウジング４１は電池の形状に沿う形状を有しており、第１の電池列収容部４９は、Ｙ１側に円筒の一部の形状を有し、第２の電池列収容部５０は略円筒である。上面４５には、第１の電池列収容部４９と第２の電池列収容部５０との間に、Ｘ１−Ｘ２の全長に亘る凹み部としての溝部５１を有する。下面４６にも、第１の電池列収容部４９と第２の電池列収容部５０との間に、Ｘ１−Ｘ２の全長に亘る溝部５２を有する。
【００２５】
上記形状の大容量電池パック４０は、図５及び図６に示すように、電池パック装着部６７に装着してある。第１の電池列収容部４９が凹部６９に収まっており、第２の電池列収容部５０は、本体部６１の手前側の面６８からＹ２方向に突き出しており、且つ、Ｚ１側から見て、閉じた状態の液晶表示部６４の先端部６９からＹ２方向に突き出している。また、液晶表示部６４が閉じた状態で、溝部５１は、液晶表示部６４の先端部６９に対向する位置に位置している。
【００２６】
液晶表示部６４の先端部６９に対向する位置に溝部５１が存在するために、パソコン６０を使用するに際して、操作者が指先部３０で液晶表示部６４の先端部６９を引っ掛けて引き上げて液晶表示部６４を開く操作を行うときに、図６に示すように、指先部３０が溝部５１内に入って液晶表示部６４の先端部６９に引っ掛かり易くなり、液晶表示部６４を開く操作を、円滑に行うことが可能となる。また、指先を液晶表示部６４と大容量電池パック４０の間にこじ入れる等の動作を行う必要は無くなり、よって、爪を傷める危険も無くなる。
【００２７】
なお、上記の溝部５１に似た凹部をＸ１−Ｘ２方向上の一部に形成した場合には、操作者は指先部３０を凹部が形成されている個所を意識してあてがう必要がある。しかし、上記の溝部５１はＸ１−Ｘ２方向上の全長に亘っているため、操作者は溝部５１が形成してある位置を特別に意識しないで液晶表示部６４の先端部６９のＸ１−Ｘ２方向上、そのときに操作し易い個所に指先を伸ばして当てれば足り、即ち、指先部３０を当てる位置に制限はなく、液晶表示部６４を開く操作について、パソコン６０は良好な操作性を有する。
【００２８】
また、大容量電池パック４０をパソコン６０から取り外す操作は、大容量電池パック４０の下面４６のロック解除釦を操作しつつ、図５に示すように、手の指先を溝部５１と溝部５２とに入れて手で第２の電池列収容部５０を掴んでＹ２方向に引くことによって、操作性良く、且つ、大容量電池パック４０を落とす危険が少ない状態で行われる。
【００２９】
なお本発明の電池パックは、標準よりも大容量を有するものであることに限定されるものではなく、本体部６１の電池パック装着部６７に装着された状態では、本体部より手前側に張り出す部分が形成される形状を有するものであれば本発明の構造を適用可能である。
【００３０】
【発明の効果】
以上説明したように、請求項１の発明は、情報を処理する情報処理部を有する本体部及び該本体部の奥方の軸支部によって前記本体部に対して開閉可能である表示部と、前記本体部の手前側の電池パック装着部に装着された電池パックとの組み合わせをもつ携帯型情報処理装置において、前記本体部の前記電池パック装着部は、前記本体部の手前側の面に凹状とされた形状であり、前記電池パックは、上面に凹み部を有する形状であり、該上面の全体が露出した状態で前記電池パック装着部に装着され、前記電池パックが前記電池パック装着部に装着されている状態で、前記凹み部は、閉じられた前記表示部の先端部に対向する位置に存在する構成としたものであるため、操作者が手の指先で表示部の端を引っ掛けて引き上げて表示部を開こうとする場合に、凹み部が指先の一部を受け入れ、指先が閉じている表示部の端に引っ掛かり易くなり、閉じている表示部を開く操作がし易くなり、また、表示部を開く際に爪を傷めたりする虞れが無くなるように出来る。
【００３１】
請求項３の発明は、請求項１記載の電池パックは、凹み部が電池パックの全長に亘って形成してあるようにしたものであるため、表示部を開こうとする場合に、操作者が指先を閉じている表示部の端の長手方向上どの位置にあてがっても指先は凹み部内に入り、指先が表示部の端に引っ掛かり易くなり、操作者は溝部が形成してある位置を特別に意識しないで表示部の端部のうち操作し易い個所に指先を伸ばして当てれば足り、携帯型パソコンは表示部を開く操作について良好な操作性を有する。
【００３２】
請求項４の発明は、請求項２記載の電池パックにおいて、円柱形状の電池が２列に並んで内蔵してあり、ハウジングは、円柱形状の電池の外形に沿う形状を有し、上記凹み部は、一の電池列を収容する部分と別の電池列とを収容する部分との間の位置に形成されている構成としたものであるため、凹み部を電池の収容部を無理やりに狭く設計することなく合理的に形成することが出来る。
【図面の簡単な説明】
【図１】従来の大容量電池パックを示す図である。
【図２】図１の大容量電池パックが装着された携帯型パソコンを示す図である。
【図３】本発明の一実施例の大容量電池パックを示す図である。
【図４】図３の大容量電池パックを携帯型パソコンと対応させて示す図である。
【図５】図３の大容量電池パックが装着された携帯型パソコンを示す図である。
【図６】液晶表示部を開くときの操作を示す図である。
【符号の説明】
４０  大容量電池パック
４２、４３  電池
４５  上面、
４６  下面
４７  第１の電池列
４８  第２の電池列
４９  第１の電池列収容部
５０  第２の電池列収容部
５１，５２  溝部
６０  携帯型のパソコン
６１  本体部
６４  液晶表示部
６７  電池パック装着部
６９  凹部
【図１】
0004351407.tif 000002
【図２】
0004351407.tif 000003
【図３】
0004351407.tif 000004
【図４】
0004351407.tif 000005
【図５】
0004351407.tif 000006
【図６】
0004351407.tif 000007